(57)【特許請求の範囲】
【請求項１】
記録媒体を内蔵してコンテンツを記録および再生する情報記録再生装置であって、
タイトル鍵を生成するタイトル鍵生成部と、前記タイトル鍵に従って前記コンテンツを暗号処理するコンテンツ暗号部と、暗号処理した前記コンテンツを格納するコンテンツ格納部と、少なくとも前記タイトル鍵、前記コンテンツを識別するための情報であるコンテンツＩＤおよび外部メディアのメディアＩＤを含む前記コンテンツの再生に関する情報であるナビゲーション情報を格納するナビゲーション情報格納部と、前記タイトル鍵を暗号処理するタイトル鍵暗号部と、外部メディアとデータを授受するインターフェース部と、外部機器との通信を行なう送受信部と、制御部とを備え、
前記制御部は、前記インターフェース部を介して入力したメディアＩＤを前記ナビゲーション情報格納部に格納し、
前記制御部は、前記ナビゲーション情報格納部より取得した前記ナビゲーション情報に含まれる前記タイトル鍵、および前記メディアＩＤを前記タイトル鍵暗号部に出力し、
前記タイトル鍵暗号部は、前記メディアＩＤに従って前記タイトル鍵を暗号処理して出力し、
前記制御部は、暗号処理した前記タイトル鍵および外部機器から前記送受信部への接続方法を、前記インターフェース部を介して前記外部メディアに出力し、
前記制御部は、前記外部機器に前記外部メディアを接続した後に、前記送受信部を介して前記外部機器に接続された前記外部メディアのメディアＩＤを取得し、
前記送受信部を介して外部機器から前記コンテンツの要求を受信した場合、取得した前記メディアＩＤが、前記ナビゲーション情報格納部に格納されている、要求された前記コンテンツのコンテンツＩＤに対応するメディアＩＤと一致すれば、前記コンテンツ格納部に格納している暗号処理した前記コンテンツを、前記送受信部を介して外部機器に送信する、ことを特徴とする情報記録再生装置。
【請求項２】
タイトル鍵を生成するステップと、
前記タイトル鍵に従ってコンテンツを暗号処理するステップと、
暗号処理した前記コンテンツを格納するステップと、
少なくとも前記タイトル鍵、前記コンテンツを識別するための情報であるコンテンツＩＤおよび外部メディアのメディアＩＤを含む前記コンテンツの再生に関する情報であるナビゲーション情報を格納するステップと、
前記タイトル鍵を前記メディアＩＤに従って暗号処理するステップと、
暗号処理した前記タイトル鍵および外部機器からの接続方法を前記外部メディアに出力するステップと、
前記外部機器に前記外部メディアを接続した後に、前記外部メディアのメディアＩＤを取得するステップと、
外部機器から前記コンテンツの要求を受信した場合に、取得した前記メディアＩＤが、前記ナビゲーション情報に格納されている、要求された前記コンテンツのコンテンツＩＤに対応するメディアＩＤと一致すれば、格納している暗号処理した前記コンテンツを外部機器に送信するステップと、を含むことを特徴とする情報記録再生方法。
【請求項３】
暗号処理した前記コンテンツを受信するステップと、
前記外部メディアに記録されている暗号処理した前記タイトル鍵を、自らのメディアＩＤにて復号処理してタイトル鍵を取得するステップと、
取得した前記タイトル鍵にて、受信した暗号処理された前記コンテンツを復号して再生するステップと、をさらに含むことを特徴とする請求項２記載の情報記録再生方法。
【請求項４】
タイトル鍵を生成するタイトル鍵生成部と、前記タイトル鍵に従って前記コンテンツを暗号処理するコンテンツ暗号部と、暗号処理した前記コンテンツを格納するコンテンツ格納部と、少なくとも前記タイトル鍵、前記コンテンツを識別するための情報であるコンテンツＩＤおよび外部メディアのメディアＩＤを含む前記コンテンツの再生に関する情報であるナビゲーション情報を格納するナビゲーション情報格納部と、前記タイトル鍵を暗号処理するタイトル鍵暗号部と、外部メディアとデータを授受するインターフェース部と、外部機器との通信を行なう送受信部と、制御部とを備えた情報記録再生装置を機能させるための情報記録再生プログラムであって、
前記制御部は、前記インターフェース部を介して入力したメディアＩＤを前記ナビゲーション情報格納部に格納し、
前記制御部は、前記ナビゲーション情報格納部より取得した前記ナビゲーション情報に含まれる前記タイトル鍵、および前記メディアＩＤを前記タイトル鍵暗号部に出力し、
前記タイトル鍵暗号部は、前記メディアＩＤに従って前記タイトル鍵を暗号処理して出力し、
前記制御部は、暗号処理した前記タイトル鍵および外部機器から前記送受信部への接続方法を、前記インターフェース部を介して前記外部メディアに出力し、
前記制御部は、前記外部機器に前記外部メディアを接続した後に、前記送受信部を介して前記外部機器に接続された前記外部メディアのメディアＩＤを取得し、
前記送受信部を介して外部機器から前記コンテンツの要求を受信した場合、取得した前記メディアＩＤが、前記ナビゲーション情報格納部に格納されている、要求された前記コンテンツのコンテンツＩＤに対応するメディアＩＤと一致すれば、前記コンテンツ格納部に格納している暗号処理した前記コンテンツを、前記送受信部を介して外部機器に送信する、ことを特徴とする情報記録再生プログラム。
【請求項５】
請求項４記載の情報記録再生プログラムを担持したコンピュータ読み取り可能な記録媒体。
【請求項６】
メディアＩＤで暗号処理されたタイトル鍵、および外部の情報記録再生装置との接続方法を記録した外部メディアを挿入可能なコンテンツ再生装置であって、
前記接続方法に基づいて、前記情報記録再生装置へコンテンツの要求を送信するとともに、前記外部メディアのメディアＩＤを送信し、前記情報記録再生装置から暗号処理されたコンテンツを受信する送受信部と、
前記送受信部が前記情報記録再生装置から暗号処理されたコンテンツを受信した場合、暗号処理された前記タイトル鍵を、挿入されている前記外部メディアのメディアＩＤにて復号処理し、復号処理された前記タイトル鍵にて、受信した暗号処理された前記コンテンツを復号して再生する再生部と、
を備える、ことを特徴とするコンテンツ再生装置。
【発明の詳細な説明】
【技術分野】
【０００１】
本発明は、セキュアコンテンツを、内蔵する記録媒体に記録および再生する情報記録再生装置に関する。特に、著作権保護機能を有するメモリカードへセキュアコンテンツをチェックアウトして、携帯機器でセキュアコンテンツを再生できるようにした情報記録再生装置に関する。
【背景技術】
【０００２】
近年、携帯機器の機能は急速に拡大していく傾向にあり、携帯電話機に見られるようなインターネット上のコンテンツ表示やメール送受信機能、静止画や動画の撮影や再生が標準機能として定着しつつある。しかも、静止画や動画については高画質を差別化要因として開発が行なわれ、高性能な撮像素子が開発されて商品化されている。これに伴い携帯機器が取り扱うデータサイズは増加の一途を辿っている。
【０００３】
また、これらの携帯機器は静止画や動画のコンテンツを内部メモリに記録するだけでなく、着脱可能なメモリカードに記録することにより、他の携帯機器やＰＣ（Ｐｅｒｓｏｎａｌ Ｃｏｍｐｕｔｅｒ）との間でコンテンツの移動を容易に行なうことができ、携帯機器内の様々なデータを機器外に持ち出すことが可能となった。
【０００４】
さらに、著作権を有するようなコンテンツに関しても、著作権保護機能を備えるメモリカードを使用することにより、コンテンツを暗号化してメモリカードに記録する方式が採用されている。暗号化されたコンテンツは、メモリカードの固有番号であるメディアＩＤを用いて復号する方式が多く採用されているため、暗号化したコンテンツを他のメモリカードに複製してもメディアＩＤまでは複製できないため復号は困難となる。このように、著作権保護機能を備えるメモリカードを用いることにより、コンテンツの複製を制御している。上述のように、メモリカードへ暗号化したコンテンツを複製することを、以下、チェックアウトすると呼ぶ。
【０００５】
特許文献１には、暗号化コンテンツデータやライセンス鍵を配信サーバから受信する端末機器が開示されている。しかし、この場合も、サーバから暗号化コンテンツデータをダウンロードしてメモリカードに記録するため、大容量なメモリカードが必要となる。
【特許文献１】特開２００２−９１８２７号公報
【発明の開示】
【発明が解決しようとする課題】
【０００６】
このように、携帯機器で扱うコンテンツのデータサイズは増大する一方である。これに対してユーザは、従来使用していたメモリカードを容量の大きなものへと交換することで、大量のコンテンツをメモリカードに記録することができる。しかし、大容量なメモリカードは未だ高価であり、入手し難いという状況である。
【０００７】
また、インターネット等の情報通信網等の進歩により、携帯電話機等の携帯機器により、各ユーザが容易にネットワークの情報にアクセスすることが可能となっている。このような情報通信網においては、デジタル信号により情報が伝送される。したがって、例えば上述のような情報通信網において伝送された音楽や映像データを各個人ユーザが複製した場合でも、そのような複製による音質や画質の劣化をほとんど生じさせることなく、データの複製を行なうことができる。したがって、このような情報通信網上において、音楽データや画像データ等の著作者の権利が存在する創作物が伝達される場合、適切な著作権保護のための方策が取られていないと、著しく著作権者の権利が侵害されてしまう恐れがある。
【０００８】
このような事情からも、音楽データや画像データをデジタル情報通信網を通じて公衆に配信することは、それ自体が著作権者の公衆送信権による制限を受ける行為であるから、著作権保護のための十分な方策が講じられる必要がある。この場合、情報通信網を通じて公衆に送信される著作物である音楽データや画像データ等のコンテンツについて、一度受信されたコンテンツが、さらに勝手に複製されることを防止することが必要となる。
【課題を解決するための手段】
【０００９】
本発明の情報記録再生装置は、記録媒体を内蔵してコンテンツを記録および再生する情報記録再生装置であって、
タイトル鍵を生成するタイトル鍵生成部と、前記タイトル鍵に従って前記コンテンツを暗号処理するコンテンツ暗号部と、暗号処理した前記コンテンツを格納するコンテンツ格納部と、少なくとも前記タイトル鍵、前記コンテンツを識別するための情報であるコンテンツＩＤおよび外部メディアのメディアＩＤを含む前記コンテンツの再生に関する情報であるナビゲーション情報を格納するナビゲーション情報格納部と、前記タイトル鍵を暗号処理するタイトル鍵暗号部と、外部メディアとデータを授受するインターフェース部と、外部機器との通信を行なう送受信部と、制御部とを備え、
前記制御部は、前記インターフェース部を介して入力したメディアＩＤを前記ナビゲーション情報格納部に格納し、
前記制御部は、前記ナビゲーション情報格納部より取得した前記ナビゲーション情報に含まれる前記タイトル鍵、および前記メディアＩＤを前記タイトル鍵暗号部に出力し、
前記タイトル鍵暗号部は、前記メディアＩＤに従って前記タイトル鍵を暗号処理して出力し、
前記制御部は、暗号処理した前記タイトル鍵および外部機器から前記送受信部への接続方法を、前記インターフェース部を介して前記外部メディアに出力し、
前記制御部は、前記外部機器に前記外部メディアを接続した後に、前記送受信部を介して前記外部機器に接続された前記外部メディアのメディアＩＤを取得し、
前記送受信部を介して外部機器から前記コンテンツの要求を受信した場合、取得した前記メディアＩＤが、前記ナビゲーション情報格納部に格納されている、要求された前記コンテンツのコンテンツＩＤに対応するメディアＩＤと一致すれば、前記コンテンツ格納部に格納している暗号処理した前記コンテンツを、前記送受信部を介して外部機器に送信する、ことを特徴とする。
【００１０】
本発明の情報記録再生方法は、タイトル鍵を生成するステップと、
前記タイトル鍵に従ってコンテンツを暗号処理するステップと、
暗号処理した前記コンテンツを格納するステップと、
少なくとも前記タイトル鍵、前記コンテンツを識別するための情報であるコンテンツＩＤおよび外部メディアのメディアＩＤを含む前記コンテンツの再生に関する情報であるナビゲーション情報を格納するステップと、
前記タイトル鍵を前記メディアＩＤに従って暗号処理するステップと、
暗号処理した前記タイトル鍵および外部機器からの接続方法を前記外部メディアに出力するステップと、
前記外部機器に前記外部メディアを接続した後に、前記外部メディアのメディアＩＤを取得するステップと、
外部機器から前記コンテンツの要求を受信した場合に、取得した前記メディアＩＤが、前記ナビゲーション情報に格納されている、要求された前記コンテンツのコンテンツＩＤに対応するメディアＩＤと一致すれば、格納している暗号処理した前記コンテンツを外部機器に送信するステップと、を含むことを特徴とする。
【００１１】
上記情報記録再生方法において、さらに、暗号処理した前記コンテンツを受信するステップと、
前記外部メディアに記録されている暗号処理した前記タイトル鍵を、自らのメディアＩＤにて復号処理してタイトル鍵を取得するステップと、
取得した前記タイトル鍵にて、受信した暗号処理された前記コンテンツを復号して再生するステップと、を含むことを特徴とする。
【００１２】
本発明の情報記録再生プログラムは、タイトル鍵を生成するタイトル鍵生成部と、前記タイトル鍵に従って前記コンテンツを暗号処理するコンテンツ暗号部と、暗号処理した前記コンテンツを格納するコンテンツ格納部と、少なくとも前記タイトル鍵、前記コンテンツを識別するための情報であるコンテンツＩＤおよび外部メディアのメディアＩＤを含む前記コンテンツの再生に関する情報であるナビゲーション情報を格納するナビゲーション情報格納部と、前記タイトル鍵を暗号処理するタイトル鍵暗号部と、外部メディアとデータを授受するインターフェース部と、外部機器との通信を行なう送受信部と、制御部とを備えた情報記録再生装置を機能させるための情報記録再生プログラムであって、
前記制御部は、前記インターフェース部を介して入力したメディアＩＤを前記ナビゲーション情報格納部に格納し、
前記制御部は、前記ナビゲーション情報格納部より取得した前記ナビゲーション情報に含まれる前記タイトル鍵、および前記メディアＩＤを前記タイトル鍵暗号部に出力し、
前記タイトル鍵暗号部は、前記メディアＩＤに従って前記タイトル鍵を暗号処理して出力し、
前記制御部は、暗号処理した前記タイトル鍵および外部機器から前記送受信部への接続方法を、前記インターフェース部を介して前記外部メディアに出力し、
前記制御部は、前記外部機器に前記外部メディアを接続した後に、前記送受信部を介して前記外部機器に接続された前記外部メディアのメディアＩＤを取得し、
前記送受信部を介して外部機器から前記コンテンツの要求を受信した場合、取得した前記メディアＩＤが、前記ナビゲーション情報格納部に格納されている、要求された前記コンテンツのコンテンツＩＤに対応するメディアＩＤと一致すれば、前記コンテンツ格納部に格納している暗号処理した前記コンテンツを、前記送受信部を介して外部機器に送信する、ことを特徴とする。
【００１３】
本発明の記録媒体は、情報記録再生プログラムを担持したコンピュータ読み取り可能なものである。
【００１４】
本発明の情報記録再生装置、情報記録再生方法、情報記録再生プログラムによると、データサイズの大きなセキュアコンテンツを外部メディアにチェックアウトする場合でも、外部メディアにセキュアコンテンツを復号するためのタイトル鍵と、セキュアコンテンツが記録されているサーバへのアクセス方法を記録することにより、外部メディア本体にはデータサイズの大きなセキュアコンテンツを記録する必要はない。
【００１５】
また、外部メディアを挿入した携帯機器は、外部メディアに記録されている情報記録再生装置へのアクセス方法を読み出してインターネットなどのネットワークを経由して情報記録再生装置へアクセスし、再生しようとしているセキュアコンテンツを要求する。しかし、ネットワーク上を流れるセキュアコンテンツは暗号処理が施されており、第三者が不正に複製したとしても、復号するためのタイトル鍵は情報記録再生装置および外部メディアの内部にしか存在しないため、第三者は復号および再生することができない。
【００１６】
また、外部メディアの内部に記録されているタイトル鍵は、外部メディア固有のメディアＩＤによって暗号処理されている。このため、外部メディア内部のデータを複製してもメディアＩＤは複製できず、暗号処理したタイトル鍵は複製後の外部メディアでは正しいタイトル鍵を取得することはできない。
【００１７】
さらに、情報記録再生装置から外部メディアにセキュアコンテンツをチェックアウトする際に取得する外部メディアのメディアＩＤと、外部からセキュアコンテンツを要求する携帯機器に挿入されている外部メディアのメディアＩＤが一致した場合のみ、セキュアコンテンツを携帯機器に送信する。このため、不正な外部メディアが挿入された携帯機器からのセキュアコンテンツ要求を拒否し、不要なセキュアコンテンツの送信を防ぐことができる。
【発明の効果】
【００１８】
本発明の情報記録再生装置によると、セキュアコンテンツを携帯機器で再生するために小容量メモリカードへチェックアウトが可能で、かつ、セキュアコンテンツの不正な複製を防止することができる。
【発明を実施するための最良の形態】
【００１９】
以下に、本発明の実施の形態を図面を参照して説明する。
【００２０】
図１は本発明の実施の形態による情報記録再生装置の構成を示すブロック図である。
【００２１】
図１に示すように、この情報記録再生装置は、外部入力部１０１、エンコード部１０２、コンテンツ暗号部１０３、スイッチ１０４、切替端子１０５、切替端子１０６、制御部１０７、タイトル鍵生成部１０８、コンテンツ格納部１０９、操作部１１０、ナビゲーション情報格納部１１１、デコード部１１２、外部出力部１１３、タイトル鍵暗号部１１４、インターフェース部１１５、外部メディアであるメモリカード１１６、送受信部１１７、アンテナ１１８から構成されている。
【００２２】
外部入力部１０１は、外部からコンテンツを入力してエンコード部１０２に出力する。
【００２３】
エンコード部１０２は、入力したコンテンツを所定の符号化方式によりエンコード処理を行なう。
【００２４】
切替端子１０５，１０６、およびスイッチ１０４はスイッチ切替回路を構成し、スイッチ１０４が切替端子１０５に接続している場合は、エンコード部１０２が出力するデータをコンテンツ暗号部１０３に入力し、スイッチ１０４が切替端子１０６に接続している場合は、コンテンツ暗号部１０３が出力するデータをデコード部１１２に入力する。
【００２５】
コンテンツ暗号部１０３は、エンコード部１０２から入力するコンテンツをタイトル鍵で暗号処理してコンテンツ格納部１０９に出力する。あるいは、コンテンツ格納部１０９から入力される暗号処理されたコンテンツを復号処理してデコード部１１２に出力する。
【００２６】
制御部１０７は、コンテンツ暗号部１０３、タイトル鍵生成部１０８、コンテンツ格納部１０９、操作部１１０、ナビゲーション情報格納部１１１、タイトル鍵暗号部１１４、インターフェース部１１５、送受信部１１７との間でデータ制御を行いつつ情報記録再生装置の全体を制御する。制御するデータは、主にコンテンツ、ナビゲーション情報、タイトル鍵等のデータである。
【００２７】
タイトル鍵生成部１０８は、制御部１０７からの指令によりコンテンツを暗号処理する際に用いるタイトル鍵を生成する。
【００２８】
コンテンツ格納部１０９は、暗号処理したコンテンツを記録媒体に記録する。
【００２９】
操作部１１０は、ユーザのキー操作を検出して操作内容を制御部１０７に出力する。
【００３０】
ナビゲーション情報格納部１１１は、コンテンツの固有番号であるコンテンツＩＤや暗号処理されたコンテンツを復号処理する際のタイトル鍵など、再生に必要な情報を含むナビゲーション情報を記録する。
【００３１】
デコード部１１２は、コンテンツ暗号部１０３から出力されるコンテンツを所定の符号化方式によりデコード処理して外部出力部１１３に出力する。
【００３２】
外部出力部１１３は、デコード部１１２から入力したコンテンツを外部のディスプレイやスピーカーなどの出力装置に出力する。
【００３３】
タイトル鍵暗号部１１４は、制御部１０７よりタイトル鍵生成部１０８で生成したタイトル鍵とメモリカードのメディアＩＤを入力し、タイトル鍵をメディアＩＤを用いて暗号処理する。
【００３４】
インターフェース部１１５は、情報記録再生装置とメモリカード１１６のデータ授受を行なう。
【００３５】
メモリカード１１６は、情報記録再生装置と携帯機器とに、それぞれ挿入可能な不揮発性メモリを搭載したメモリである。メモリの一部は、認証処理を行なわなければアクセスできない領域があり、この領域に著作権保護機能に関わる重要な情報を格納する。
【００３６】
送受信部１１７は、アンテナ１１８を用いて外部の携帯機器などとの通信を行なう。
【００３７】
図２は、本発明の実施の形態による情報記録再生装置と携帯機器によって構成されるシステムの一例を示している。
【００３８】
情報記録再生装置２０１と携帯機器２０２とは、ネットワーク２０３およびメモリカード１１６によってデータのやりとりを行なう。ネットワーク２０３は公衆電話網やインターネットなどを想定している。
【００３９】
図３は、本発明の実施の形態による情報記録再生装置に記録されているナビゲーション情報とコンテンツの一覧、およびメモリカードに記録されているナビゲーション情報の一覧を示したものである。
【００４０】
情報記録再生装置からコンテンツＩＤ＝＃１００１であるコンテンツを、メモリカードにチェックアウトする前後のナビゲーション情報およびコンテンツの状態を示している。
【００４１】
図４は、本発明の実施の形態による情報記録再生装置に記録されているタイトル鍵と、メモリカードに記録されている暗号処理したタイトル鍵の相関図を示したものである。
【００４２】
タイトル鍵１をメディアＩＤが０００１であるメモリカードに書き込む場合は暗号処理して暗号化タイトル鍵Ｂを作成して書き込み、タイトル鍵２を書き込む場合は暗号処理して暗号化タイトル鍵Ａを作成してメモリカードに書き込む。
【００４３】
図５，図６は本発明の実施の形態による情報記録再生装置が、メモリカードにコンテンツをチェックアウトする際の動作プログラムのフローチャートである。
【００４４】
図７は本発明の実施の形態による情報記録再生装置に、メモリカードが挿入された携帯機器からコンテンツ要求があった場合の動作プログラムのフローチャートである。
【００４５】
以下、図１ないし図７を用いて本発明の実施の形態について詳細に説明する。
【００４６】
まず、情報記録再生装置にコンテンツを記録する場合の動作についての説明を行なう。
【００４７】
ユーザが操作キーで情報記録再生装置に記録指令を行なうと、操作部１１０がキー操作を検出して制御部１０７に操作内容を出力する。
【００４８】
記録指令を入力した制御部１０７は、ナビゲーション情報格納部１１１に記録されているナビゲーション情報から使用されていないコンテンツＩＤを検索し、未使用のコンテンツＩＤを予約する。
【００４９】
そして、制御部１０７はタイトル鍵生成部１０８に対してタイトル鍵の生成を指示し、タイトル鍵生成部１０８は生成したタイトル鍵を出力する。
【００５０】
制御部１０７はタイトル鍵生成部１０８から取得したタイトル鍵をコンテンツ暗号部１０３に入力する。
【００５１】
そして、制御部１０７はスイッチ１０４を切替端子１０５に接続し、外部入力部１０１から入力するコンテンツをエンコード部１０２でエンコード処理を行ない、コンテンツ暗号部１０３はエンコード処理されたコンテンツをタイトル鍵を用いて暗号処理する。
【００５２】
制御部１０７は、暗号処理したコンテンツをコンテンツ格納部１０９にコンテンツＩＤと関連付けて記録し、ユーザによる記録停止指示まで記録処理を継続する。
【００５３】
ユーザが操作キーで記録動作の停止指定を行なうと、操作部１１０がそのキー操作を検出して制御部１０７に操作内容を出力する。
【００５４】
停止指令を入力した制御部１０７は、コンテンツ暗号部１０３に対して暗号処理の停止指令をして、暗号処理したコンテンツの取得を停止する。そして、記録したコンテンツのナビゲーション情報を新規に作成するが、ナビゲーション情報にはコンテンツＩＤとタイトル鍵、チェックアウト先などを記録してナビゲーション情報格納部１１１に登録する。
【００５５】
コンテンツの記録をした場合は、ナビゲーション情報のチェックアウト先は未チェックアウトの旨を登録する。
【００５６】
以上の動作により、情報記録再生装置に入力したコンテンツを暗号処理して記録することができる。
【００５７】
次に、情報記録再生装置に記録したコンテンツをメモリカードにチェックアウトする場合の動作についての説明を行なう。
【００５８】
情報記録再生装置（ＩＰアドレス＝＃１）およびメモリカード（メディアＩＤ＝０００１）には、図３に示すようなコンテンツおよびナビゲーション情報が記録されているものとする。
【００５９】
情報記録再生装置には３つのコンテンツが記録されており、それぞれのコンテンツＩＤは＃１００１、＃１００２、＃１００３である。
【００６０】
コンテンツＩＤ＝＃１００１のコンテンツはタイトル鍵１で暗号処理されており、メモリカードにはチェックアウトされていない。
【００６１】
コンテンツＩＤ＝＃１００２のコンテンツはタイトル鍵２で暗号処理されており、メディアＩＤ＝０００１とメディアＩＤ＝０００５の２枚のメモリカードにチェックアウトされている。
【００６２】
コンテンツＩＤ＝＃１００３のコンテンツはタイトル鍵３で暗号処理されており、メディアＩＤ＝０００５のメモリカードにチェックアウトされている。
【００６３】
通常、セキュアコンテンツに対するメモリカードへのチェックアウト数は有限であるが、ここでは特に設定せずに説明を継続する。
【００６４】
一方、メモリカードには１つのコンテンツに関するナビゲーション情報が記録されている。コンテンツＩＤ＝＃１００２であり、暗号化タイトル鍵Ａ、コンテンツはＩＰアドレス＝＃１である情報記録再生装置に保存されている。
【００６５】
図５，６のフローチャートを用いてチェックアウトの動作を詳細に説明する。
【００６６】
情報記録再生装置はディスプレイにメニューを表示する（Ｓ５０１）。メニューには再生、記録、チェックアウト、消去などの選択肢があるものとする。
【００６７】
ユーザは操作キーでチェックアウトを選択すると、操作部１１０がキー操作を検出して制御部１０７に通知する。
【００６８】
制御部１０７はチェックアウトが選択されたことを検出すると（Ｓ５０２）、挿入されているメモリカード１１６との認証処理をインターフェース部１１５を介して行なう（Ｓ５０３、Ｓ５０３ａ）。
【００６９】
制御部１０７は、認証処理中にメモリカード１１６のメディアＩＤを取得する。
【００７０】
制御部１０７は認証処理が成功すると（Ｓ５０４）、ナビゲーション情報格納部１１１からすべてのナビゲーション情報を取得して（Ｓ５０５）、ナビゲーション情報に登録されているコンテンツをディスプレイに表示して、ユーザに対してチェックアウトするコンテンツの選択を求める（Ｓ５０６）。
【００７１】
ユーザがチェックアウトするコンテンツをキー操作で選択すると、操作部１１０がキー操作を検出して制御部１０７に通知する。
【００７２】
制御部１０７が選択されたコンテンツを検出すると（Ｓ６０１）、ナビゲーション情報格納部１１１から取得したナビゲーション情報を検索して、選択されたコンテンツを抽出する（Ｓ６０２）。ここではコンテンツＩＤ＝＃１００１をユーザが選択したものとして説明する。
【００７３】
そして、制御部１０７は抽出したコンテンツのナビゲーション情報に含まれるタイトル鍵１を取得して、先に取得したメモリカード１１６のメディアＩＤ＝０００１とともにタイトル鍵暗号部１１４に出力する。
【００７４】
タイトル鍵暗号部１１４は、入力したメディアＩＤを用いてタイトル鍵１を暗号処理して暗号化タイトル鍵Ｂを作成し、制御部１０７に出力する（Ｓ６０３）。
【００７５】
そして、制御部１０７はコンテンツＩＤ＝＃１００１のナビゲーション情報に対して、チェックアウト先の項目にチェックアウトするメモリカードのメディアＩＤ＝０００１を追記して、ナビゲーション情報格納部１１１のナビゲーション情報を更新する（Ｓ６０４）。
【００７６】
次に、制御部１０７はメモリカード１１６に記録されているナビゲーション情報を更新する動作に移る。
【００７７】
制御部１０７はメモリカード１１６に対して、メモリカード１１６に記録されているナビゲーション情報を要求する（Ｓ６０５）。
【００７８】
メモリカード１１６は、内部に記録しているナビゲーション情報を情報記録再生装置に対して送信する（Ｓ６０５ａ）。メモリカードに記録しているナビゲーション情報は、コンテンツＩＤ、暗号化タイトル鍵、コンテンツが記録されている情報記録再生装置のＩＰアドレスである。
【００７９】
制御部１０７はメモリカード１１６からナビゲーション情報を受信し（Ｓ６０６）、受信したナビゲーション情報に対して、チェックアウトするナビゲーション情報を追加してインターフェース部１１５を介してメモリカード１１６に書き込む（Ｓ６０７）。追加する情報はコンテンツＩＤ＝＃１００１、暗号化タイトル鍵Ｂ、情報記録再生装置のＩＰアドレス＝＃１である。
【００８０】
メモリカード１１６は、受信したナビゲーション情報を内部に記録する（Ｓ６０７ａ）。
【００８１】
制御部１０７は、メモリカード１１６へのナビゲーション情報の書き込み処理が完了するとチェックアウト動作を終了する（Ｓ６０８）。
【００８２】
メニュー選択表示（Ｓ５０１）で、ユーザがチェックアウト以外を選択した場合はそれぞれの処理へ移る（Ｓ５０２ａ）。
【００８３】
また、認証処理が正常に終了できなかったと判断した場合は（Ｓ５０４）、チェックアウト動作を終了する（Ｓ５０４ａ）。
【００８４】
また、チェックアウトするコンテンツを選択する際にユーザがコンテンツを選択しなかった場合は、チェックアウト動作を終了する（Ｓ６０８）。
【００８５】
以上の動作により、情報記録再生装置に記録しているコンテンツをメモリカードにチェックアウトすることができる。
【００８６】
次に、メモリカード１１６を情報記録再生装置から抜き出して携帯機器に挿入し、先にチェックアウトしたコンテンツを再生する際の動作について、図７のフローチャートを用いて説明する。
【００８７】
情報記録再生装置に対して、メディアＩＤ＝０００１であるメモリカードを挿入した携帯機器から、コンテンツＩＤ＝＃１００１であるコンテンツが要求される（Ｓ７０１）。同時に、挿入したメモリカードのメディアＩＤが送信される。これらは送受信部１１７がアンテナ１１８を介して受信することになる。
【００８８】
制御部１０７は、コンテンツの要求とメディアＩＤの取得が送受信部１１７を介して入力されると（Ｓ７０１ａ）、ナビゲーション情報格納部１１１からコンテンツ要求のあったコンテンツＩＤ＝＃１００１のコンテンツを検索してチェックアウト先の内容を取得する（Ｓ７０１ｂ）。図３によるとコンテンツＩＤ＝１００１のチェックアウト先はメディアＩＤ＝０００１となっている。
【００８９】
制御部１０７は、チェックアウトしたメモリカードのメディアＩＤと携帯機器から受信したメディアＩＤが一致しているかどうかを判断する（Ｓ７０１ｃ）。ここではメディアＩＤが一致しているので、要求のあったコンテンツＩＤ＝＃１００１の暗号化コンテンツをコンテンツ格納部１０９から取得して、送受信部１１７を介して携帯機器に送信する（Ｓ７０１ｄ）。これにより情報記録再生装置の動作は終了する。
【００９０】
一方、情報記録再生装置から暗号化コンテンツを受信した携帯機器は（Ｓ７０３）、内部に記録している暗号化コンテンツ鍵Ｂを自らのメディアＩＤ＝０００１に従って復号処理してタイトル鍵１を取得し、更にタイトル鍵１を用いて受信した暗号化コンテンツを復号およびデコードして再生を行なう（Ｓ７０４、Ｓ７０５）。
【００９１】
また、制御部１０７は、チェックアウトしたメモリカードのメディアＩＤと携帯機器から受信したメディアＩＤが一致しているかどうかを判断するが（Ｓ７０１ｃ）、一致していない場合は要求されたコンテンツの送信を行なわず、携帯機器は再生動作を終了する（Ｓ７０５）。
【００９２】
以上の動作により、携帯機器からコンテンツ要求があった場合には、暗号処理したコンテンツを携帯機器に対して送信することができる。
【００９３】
このように構成された情報記録再生装置によると、大容量あるいは容量が不明であるコンテンツをメモリカード１１６にチェックアウトする場合、暗号処理したコンテンツを復号するためのタイトル鍵とコンテンツが記録されている情報記録再生装置２０１へのアクセス方法をメモリカード１１６に記録し、インターネットなどのネットワーク２０３を経由して大容量な暗号処理したコンテンツを送受信することにより、ユーザは情報記録再生装置２０１に記録しているコンテンツを容量を気にすることなくメモリカード１１６を挿入できる携帯機器２０２で再生することができる。しかも、メモリカード１１６には少ない情報しか記録しないので、容量の大きなメモリカード１１６を必要としない。
【００９４】
また、情報記録再生装置２０１から携帯機器２０２へはインターネット等のネットワーク２０３を介して送受信するが、ネットワーク２０３上を流れる暗号処理したコンテンツを復号するための鍵はメモリカード１１６に記録することにより、第三者がネットワーク２０３上を流れる暗号化コンテンツを不正に複製したとしても復号することが不可能である。このように、著作権を有するコンテンツに対して再生の制限を加えることができる。
【００９５】
さらに、情報記録再生装置２０１ではチェックアウトしたメモリカード１１６の固有情報であるメディアＩＤを記録しているので、チェックアウトした以外のメモリカードを挿入した携帯機器２０２からのコンテンツ要求を排除することができる。よって、暗号処理したコンテンツの不要なネットワーク２０３上の送受信を制限することができる。
【００９６】
なお、実施の形態では、外部メディアとしてメモリカード１１６を用いてコンテンツのチェックアウトを行っているが、外部メディアはメディアＩＤを所有する記録媒体としてもよい。
【００９７】
また、実施の形態では、メディアＩＤを用いて携帯機器２０２へのコンテンツ送信許可を判断しているが、携帯機器２０２とメモリカード１１６との認証処理の結果を用いて判断してもよい。
【００９８】
また、実施の形態では、コンテンツを特定していないが、音楽、映像、音声、静止画、文書等が挙げられる。
【００９９】
また、実施の形態では、タイトル鍵で暗号処理したコンテンツをネットワーク２０３を経由して情報記録再生装置２０１から携帯機器２０２に送受信しているが、さらに情報記録再生機器２０１と携帯機器２０２の双方で生成するセッション鍵を用いて暗号処理して送受信してもよい。
【０１００】
また、実施の形態では、チェックアウトする際にメモリカード１１６へ書き込むナビゲーション情報は、コンテンツＩＤ、暗号化タイトル鍵、ＩＰアドレスとしているが、コンテンツの作成者や作成日時などの付加情報を追加してもよい。
【０１０１】
また、実施の形態では、情報記録再生装置２０１へのアクセス方法としてＩＰアドレスを用いているが、情報記録再生装置２０１を特定する電話番号やＨＴＴＰアドレスなどの固有番号、固有文字列、固有記号列としてもよい。
【０１０２】
さらに、実施の形態では、メモリカード１１６に記録するナビゲーション情報の記録領域については特定していないが、ナビゲーション情報のいずれかの項目を認証処理が正常に終了してからでなければアクセスできない領域としてもよい。
【０１０３】
なお、本発明の情報記録再生プログラムは、情報記録再生装置の全部又は一部の手段（又は、装置、素子等）の機能をコンピュータにより実行させるためのプログラムであって、コンピュータと協働して動作するプログラムである。コンピュータは、ＣＰＵ等の純然たるハードウェアに限らず、ファームウェアや、ＯＳ、更に周辺機器を含むものであってもよい。上記、一部の手段（又は、装置、素子等）とは、それらの複数の手段の内の一つ又は幾つかの手段を意味し、上記、手段（又は、装置、素子等）の機能とは、前記手段の全部又は一部の機能を意味する。
【０１０４】
また、本発明の記録媒体は、上述した情報記録再生プログラムを記録したコンピュータにより読み取り可能な記録媒体であり、例えばＣＤ−ＲＯＭ，ＲＯＭ等が挙げられる。
【０１０５】
また、本発明の伝送媒体は、上述した情報記録再生プログラムを伝送するものであって、例えばインターネット、光・電波・音波等が挙げられる。
【産業上の利用可能性】
【０１０６】
本発明は、ネットワーク上のセキュアコンテンツを、小容量の外部メディアを装着した携帯機器で再生する情報記録再生装置、情報記録再生方法、情報記録再生プログラム、及び記録又は伝送媒体として有用である。
【図面の簡単な説明】
【０１０７】
【図１】本発明の実施の形態における情報記録再生装置のブロック図
【図２】本発明の実施の形態における情報記録再生装置のシステム構成図
【図３】本発明の実施の形態におけるナビゲーション情報の構成図
【図４】本発明の実施の形態におけるタイトル鍵の暗号処理の説明図
【図５】本発明の実施の形態における情報記録再生装置の動作フローチャート
【図６】本発明の実施の形態における情報記録再生装置の動作フローチャート
【図７】本発明の実施の形態における情報記録再生装置の動作フローチャート
【符号の説明】
【０１０８】
１０１  外部入力部
１０２  エンコード部
１０３  コンテンツ暗号部
１０４  スイッチ
１０５，１０６  接続端子
１０７  制御部
１０８  タイトル鍵生成部
１０９  コンテンツ格納部
１１０  操作部
１１１  ナビゲーション情報格納部
１１２  デコード部
１１３  外部出力部
１１４  タイトル鍵暗号部
１１５  インターフェース部
１１６  メモリカード（外部メディア）
１１７  送受信部
１１８  アンテナ
２０１  情報記録再生装置
２０２  携帯機器
２０３  ネットワーク
【図１】
0004802187.tif 000002
【図２】
0004802187.tif 000003
【図３】
0004802187.tif 000004
【図４】
0004802187.tif 000005
【図５】
0004802187.tif 000006
【図６】
0004802187.tif 000007
【図７】
0004802187.tif 000008